【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
装置であって、第１の無線通信局（ＳＴＡ）に、
許可フレームが第１の目的のためか又は第２の目的のためかを示す割り当てデュレーションフィールドの値を設定させ、前記第１の目的は、０から３２７６７の範囲に設定された前記割り当てデュレーションフィールドの前記値により示され、前記第２の目的は、３２７６８に設定された前記割り当てデュレーションフィールドの前記値により示され、
前記許可フレームを第２のＳＴＡへ送信させ、前記許可フレームは、デュレーションフィールドと動的割り当て情報（Ｉｎｆｏ）フィールドを含み、前記動的割り当てＩｎｆｏフィールドは前記割り当てデュレーションフィールドを含む、
ロジック及び回路を含む装置。
【請求項２】
前記第１の目的は、現在の送信機会（ＴＸＯＰ）を超える割り当てを有し、前記第２の目的は、前記現在のＴＸＯＰの範囲内の割り当てを有する、請求項１に記載の装置。
【請求項３】
前記第１のＳＴＡに、０から３２７６７の前記範囲の前記割り当てデュレーションフィールドの前記値を設定するとき、前記割り当てデュレーションフィールドの前記値と前記デュレーションフィールドの前記値との和が、前記第１のＳＴＡが前記第２のＳＴＡとの通信のためにアクセスを開始しようと試みるときを示すように、前記デュレーションフィールドの値を設定させる、よう構成される請求項１に記載の装置。
【請求項４】
前記割り当てデュレーションフィールドの前記値と前記デュレーションフィールドの前記値との前記和は、前記第１のＳＴＡが前記第２のＳＴＡとの通信のために前記アクセスを開始しようと試みるときの、前記許可フレームの送信終了（ＴＸＥＮＤ）ｉｎｄｉｃａｔｉｏｎプリミティブからの時間オフセットを示す、請求項３に記載の装置。
【請求項５】
前記第１のＳＴＡに、前記割り当てデュレーションフィールドの前記値を３２７６８に設定させ、送信機会（ＴＸＯＰ）の残りの部分を前記第２のＳＴＡに譲るために前記ＴＸＯＰの間に前記許可フレームを送信させる、よう構成される請求項１に記載の装置。
【請求項６】
前記第１のＳＴＡに、コンテンションベースアクセス期間（ＣＢＡＰ）を示すために、前記動的割り当てＩｎｆｏフィールド内の割り当てタイプフィールドを設定させる、よう構成される請求項５に記載の装置。
【請求項７】
前記第１のＳＴＡに、前記ＴＸＯＰの残り時間に基づき、前記デュレーションフィールドの値を設定させる、よう構成される請求項５に記載の装置。
【請求項８】
前記第１のＳＴＡに、前記デュレーションフィールドの値を、前記ＴＸＯＰの残り時間から前記許可フレームの送信時間及びショートインターフレームスペース（ＳＩＦＳ）時間を減算した結果に設定させる、よう構成される請求項５に記載の装置。
【請求項９】
前記第１のＳＴＡに、前記ＴＸＯＰの残りの部分について、ＴＸＯＰ保持者の役割からＴＸＯＰ応答者の役割に切り換えさせる、よう構成される請求項５に記載の装置。
【請求項１０】
前記第１のＳＴＡに、前記割り当てデュレーションフィールドの前記値を３２７６８に設定させ、サービス期間（ＳＰ）の残りの部分を前記第２のＳＴＡに譲るために前記ＳＰの間に前記許可フレームを送信させる、よう構成される請求項１に記載の装置。
【請求項１１】
前記第１のＳＴＡに、前記ＳＰを示すために、前記動的割り当てＩｎｆｏフィールド内の割り当てタイプフィールドを設定させる、よう構成される請求項１０に記載の装置。
【請求項１２】
前記第１のＳＴＡに、前記ＳＰ内の残り時間に基づき、前記デュレーションフィールドの値を設定させる、よう構成される請求項１０に記載の装置。
【請求項１３】
前記第１のＳＴＡに、前記デュレーションフィールドの値を、前記ＳＰの残り時間から前記許可フレームの送信時間及びショートインターフレームスペース（ＳＩＦＳ）時間を減算した結果に設定させる、よう構成される請求項１０に記載の装置。
【請求項１４】
前記第１のＳＴＡに、前記ＳＰの残りの部分について、送信元ＳＴＡの役割から宛先ＳＴＡの役割に切り換えさせる、よう構成される請求項１０に記載の装置。
【請求項１５】
前記許可フレームは、前記第２のＳＴＡのアドレスを示すために受信アドレス（ＲＡ）フィールドを有する、請求項１乃至１４のいずれか一項に記載の装置。
【請求項１６】
媒体アクセス制御（ＭＡＣ）及び物理レイヤ（ＰＨＹ）を有する請求項１乃至１４のいずれか一項に記載の装置。
【請求項１７】
無線機を有する請求項１乃至１４のいずれか一項に記載の装置。
【請求項１８】
１又は複数のアンテナを有する請求項１乃至１４のいずれか一項に記載の装置。
【請求項１９】
命令を有するコンピュータプログラムであって、前記命令は、プロセッサにより実行されると、前記プロセッサに、第１の無線通信局（ＳＴＡ）に、
許可フレームが第１の目的のためか又は第２の目的のためかを示す割り当てデュレーションフィールドの値を設定させ、前記第１の目的は、０から３２７６７の範囲に設定された前記割り当てデュレーションフィールドの前記値により示され、前記第２の目的は、３２７６８に設定された前記割り当てデュレーションフィールドの前記値により示され、
前記許可フレームを第２のＳＴＡへ送信させ、前記許可フレームは、デュレーションフィールドと動的割り当て情報（Ｉｎｆｏ）フィールドを含み、前記動的割り当てＩｎｆｏフィールドは前記割り当てデュレーションフィールドを含む、
コンピュータプログラム。
【請求項２０】
前記第1の目的は、現在の送信機会（ＴＸＯＰ）を超える割り当てを有し、前記第２の目的は、前記現在のＴＸＯＰの範囲内の割り当てを有する、請求項１９に記載のコンピュータプログラム。
【請求項２１】
前記命令は、実行されると、前記第1のＳＴＡに、０から３２７６７の前記範囲の前記割り当てデュレーションフィールドの前記値を設定するとき、前記割り当てデュレーションフィールドの前記値と前記デュレーションフィールドの前記値との和が、前記第１のＳＴＡが前記第２のＳＴＡとの通信のために初期アクセスを試みるときを示すように、前記デュレーションフィールドの値を設定させる、請求項１９に記載のコンピュータプログラム。
【請求項２２】
前記命令は、実行されると、前記第1のＳＴＡに、前記割り当てデュレーションフィールドの前記値を３２７６８に設定させ、送信機会（ＴＸＯＰ）のリマインダを前記第２のＳＴＡに譲るために前記ＴＸＯＰの間に前記許可フレームを送信させる、請求項１９に記載のコンピュータプログラム。
【請求項２３】
前記命令は、実行されると、前記第１のＳＴＡに、前記デュレーションフィールドの値を、前記ＴＸＯＰの残り時間から前記許可フレームの送信時間及びショートインターフレームスペース（ＳＩＦＳ）時間を減算した結果に設定させる、請求項２２に記載のコンピュータプログラム。
【請求項２４】
前記命令は、実行されると、前記第1のＳＴＡに、前記割り当てデュレーションフィールドの前記値を３２７６８に設定させ、サービス期間（ＳＰ）の残りの部分を前記第２のＳＴＡに譲るために前記ＳＰの間に前記許可フレームを送信させる、請求項１９に記載のコンピュータプログラム。
【請求項２５】
請求項１９乃至２３のいずれか一項に記載のコンピュータプログラムを記憶するコンピュータ可読記憶媒体。